(57)【要約】【課題】本体部品および透過部品にかかる負荷を低減し、かつ光の照射効率が低下することを抑制する光照射装置を提供する。【解決手段】光照射装置１は、本体部品１０、透過部品７０、光源部品５０、充填剤９０、本体反射空間１００、および部品間膨張用空間１３０を有する。本体部品１０は、出力側開口部３２、反射面３６、および本体出力側面３５を有する。本体反射空間１００は、反射面３６に取り囲まれて形成され、本体部品１０を貫通し、入力側開口部３１および出力側開口部３２において開口している。充填剤９０は、本体反射空間１００に充填され、光源部品５０を覆う。透過部品７０は、本体部品１０に対して出力側開口部３２側に配置されている。部品間膨張用空間１３０は、本体部品１０および透過部品７０に囲まれて形成され、本体出力側面３５と透過部品７０との間に形成され、本体反射空間１００と連続している。【選択図】図４
2014146586.tif 000002
【特許請求の範囲】
【請求項１】
光照射装置であって、
前記光照射装置は、本体部品、透過部品、光源部品、充填剤、本体反射空間、および部品間膨張用空間を有し、
前記本体部品は、出力側開口部、反射面、および本体出力側面を有し、
前記本体出力側面は、前記本体部品における前記出力側開口部側の部分に形成され、前記反射面と連続して形成され、
前記本体反射空間は、前記反射面に取り囲まれて形成され、前記出力側開口部において開口し、
前記透過部品は、前記本体部品に対して前記出力側開口部側に配置され、
前記光源部品は、前記本体反射空間に配置され、
前記充填剤は、前記本体反射空間に充填され、前記光源部品を覆い、
前記部品間膨張用空間は、前記本体部品および前記透過部品に囲まれて形成され、前記本体出力側面と前記透過部品との間に形成され、前記本体反射空間と連続している
光照射装置。
【請求項２】
前記透過部品は、透過部品内面および透過部品凹部を有し、
前記透過部品内面は、前記本体出力側面と対向し、
前記透過部品凹部は、前記透過部品内面側の部分に形成され、前記部品間膨張用空間に向けて開口し、透過側膨張用空間を形成し、
前記透過側膨張用空間は、前記部品間膨張用空間と連続している
請求項１に記載の光照射装置。
【請求項３】
前記透過部品は、透過部品中間部および透過部品周辺部を有し、
前記透過部品中間部は、前記本体反射空間に面し、
前記透過部品周辺部は、前記透過部品中間部の周囲に形成され、
前記透過部品凹部は、前記透過部品周辺部に形成され、前記透過部品中間部の周囲を取り囲む形状を有する
請求項２に記載の光照射装置。
【請求項４】
前記本体部品は、本体部品凹部を有し、
前記本体部品凹部は、前記本体出力側面側の部分に形成され、前記部品間膨張用空間に向けて開口し、本体側膨張用空間を形成し、
前記本体側膨張用空間は、前記部品間膨張用空間と連続している
請求項１〜３のいずれか一項に記載の光照射装置。
【請求項５】
前記本体部品凹部は、前記出力側開口部の周囲を取り囲む形状を有する
請求項４に記載の光照射装置。
【請求項６】
前記本体側膨張用空間および前記透過側膨張用空間は、前記部品間膨張用空間を介して互いに対向している
請求項２を引用する請求項５に記載の光照射装置。
【発明の詳細な説明】
【技術分野】
【０００１】
本発明は、充填剤を有する光照射装置に関する。
【背景技術】
【０００２】
図１３は、特許文献１の発光装置９００（光照射装置）を示している。発光装置９００は、反射ケース９１０、レンズ９２０、ＬＥＤチップ９３０、および封止部材９４０を有する。反射ケース９１０は、貫通孔９１１を有する。貫通孔９１１は、反射ケース９１０の壁部を貫通している。レンズ９２０は、反射ケース９１０に取り付けられている。封止部材９４０は、反射ケース９１０の内部空間および貫通孔９１１に充填されている。ＬＥＤチップ９３０は、反射ケース９１０の内部空間に配置され、封止部材９４０により覆われている。
【０００３】
貫通孔９１１は、反射ケース９１０の線膨張係数と封止部材９４０の線膨張係数との相違に起因して、封止部材９４０とレンズ９２０との結合が不安定化することを抑制することに貢献する。
【先行技術文献】
【特許文献】
【０００４】
【特許文献１】特開２００９−８８０５３号公報
【発明の概要】
【発明が解決しようとする課題】
【０００５】
本願発明者は、発光装置９００が次の課題を含むことを見出した。
発光装置９００は、反射ケース９１０に貫通孔９１１を有する。このため、ＬＥＤチップ９３０から照射された光が貫通孔９１１を介して反射ケース９１０の外部に漏れるおそれがある。このため、光の照射効率が低下するおそれがある。
【０００６】
本発明は、以上の背景をもとに創作されたものであり、本体部品および透過部品にかかる負荷を低減し、かつ光の照射効率が低下することを抑制する光照射装置を提供することを目的とする。
【課題を解決するための手段】
【０００７】
（１）本手段の一形態は、「光照射装置であって、前記光照射装置は、本体部品、透過部品、光源部品、充填剤、本体反射空間、および部品間膨張用空間を有し、前記本体部品は、出力側開口部、反射面、および本体出力側面を有し、前記本体出力側面は、前記本体部品における前記出力側開口部側の部分に形成され、前記反射面と連続して形成され、前記本体反射空間は、前記反射面に取り囲まれて形成され、前記出力側開口部において開口し、前記透過部品は、前記本体部品に対して前記出力側開口部側に配置され、前記光源部品は、前記本体反射空間に配置され、前記充填剤は、前記本体反射空間に充填され、前記光源部品を覆い、前記部品間膨張用空間は、前記本体部品および前記透過部品に囲まれて形成され、前記本体出力側面と前記透過部品との間に形成され、前記本体反射空間と連続している光照射装置」を含む。
【０００８】
（２）上記手段の一形態は、「前記透過部品は、透過部品内面および透過部品凹部を有し、前記透過部品内面は、前記本体出力側面と対向し、前記透過部品凹部は、前記透過部品内面側の部分に形成され、前記部品間膨張用空間に向けて開口し、透過側膨張用空間を形成し、前記透過側膨張用空間は、前記部品間膨張用空間と連続している光照射装置」を含む。
【０００９】
（３）上記手段の一形態は、「前記透過部品は、透過部品中間部および透過部品周辺部を有し、前記透過部品中間部は、前記本体反射空間に面し、前記透過部品周辺部は、前記透過部品中間部の周囲に形成され、前記透過部品凹部は、前記透過部品周辺部に形成され、前記透過部品中間部の周囲を取り囲む形状を有する光照射装置」を含む。
【００１０】
（４）上記手段の一形態は、「前記本体部品は、本体部品凹部を有し、前記本体部品凹部は、前記本体出力側面側の部分に形成され、前記部品間膨張用空間に向けて開口し、本体側膨張用空間を形成し、前記本体側膨張用空間は、前記部品間膨張用空間と連続している光照射装置」を含む。
【００１１】
（５）上記手段の一形態は、「前記本体部品凹部は、前記出力側開口部の周囲を取り囲む形状を有する光照射装置」を含む。
（６）上記手段の一形態は、「前記本体側膨張用空間および前記透過側膨張用空間は、前記部品間膨張用空間を介して互いに対向している光照射装置」を含む。
【００１２】
本光照射装置は、以下の作用および効果を奏する。
充填剤は、光源部品から充填剤に伝導する熱により熱膨張する。充填剤の一部は、部品間膨張用空間に流れ込む。このため、充填剤が熱膨張するとき、本体部品および透過部品が充填剤から受ける負荷が小さくなる。部品間膨張用空間は、本体部品および透過部品に囲まれて形成されている。このため、光源部品から出力された光が透過部品を介することなく光照射装置の外部に透過することが抑制される。このため、光の照射効率が低下することが抑制される。すなわち、本体部品および透過部品にかかる負荷を低減する構造が存在していることに起因して、光の照射効率が低下することが抑制される。このように、本光照射装置は、本体部品および透過部品にかかる負荷を低減し、かつ光の照射効率が低下することを抑制することができる。
【発明の効果】
【００１３】
本光照射装置は、本体部品および透過部品にかかる負荷を低減し、かつ光の照射効率が低下することを抑制することができる。
【図面の簡単な説明】
【００１４】
【図１】第１実施形態の光照射装置の平面図。
【図２】第１実施形態の保護部品の底面図。
【図３】第１実施形態の光照射装置に関する図であり、図１のＸ０３−Ｘ０３線において破断された断面図。
【図４】第１実施形態の光照射装置に関する図であり、図１のＸ０３−Ｘ０３線において破断された断面図。
【図５】第２実施形態の光照射装置の平面図。
【図６】第２実施形態の光照射装置の一部を示す平面図。
【図７】第２実施形態の光照射装置に関する図であり、図５のＸ０７−Ｘ０７線において破断された断面の一部の断面図。
【図８】第２実施形態の光照射装置に関する図であり、図５のＸ０７−Ｘ０７線において破断された断面の一部の断面図。
【図９】第３実施形態の光照射装置の平面図。
【図１０】第３実施形態の光照射装置の一部を示す平面図。
【図１１】第３実施形態の光照射装置に関する図であり、図９のＸ１１−Ｘ１１線において破断された断面の一部の断面図。
【図１２】第３実施形態の光照射装置に関する図であり、図９のＸ１１−Ｘ１１線において破断された断面の一部の断面図。
【図１３】従来の光照射装置の断面図。
【発明を実施するための形態】
【００１５】
（第１実施形態）
光照射装置１は、一例として、図１および図３に示される構造を有する。光照射装置１は、複数の構成部品、機能材料、および複数の機能空間を有する。光照射装置１の複数の構成部品は、本体部品１０、回路基板４０、光源部品５０、および保護部品６０を含む。光照射装置１は、機能材料として充填剤９０を有する。光照射装置１の複数の機能空間は、本体反射空間１００、本体内部空間１１０、本体側膨張用空間１４０、および透過側膨張用空間１５０を含む。光照射装置１は、光源部品５０から出力される光を保護部品６０の外部に向けて照射する。なお、充填剤９０に関する各種の説明は、充填剤９０が熱膨張していることを明示していない場合、充填剤９０が熱膨張していないことを前提としている。充填剤９０の熱膨張は、主として、光源部品５０から発生した熱が充填剤９０に伝導することにより生じる。
【００１６】
本体部品１０は、一例として、図１および図３に示される構造を有する。本体部品１０は、円柱形状に類似する形状を有する。本体部品１０は、本体外側部品２０および本体内側部品３０を有する。本体部品１０は、個別に形成された本体外側部品２０および本体内側部品３０が互いに結合された構造を有する。
【００１７】
本体外側部品２０は、一例として、図３に示される構造を有する。本体外側部品２０は、遮光性が高い樹脂材料により形成されている。本体外側部品２０は、複数の構成部分および複数の構成面を有する。本体外側部品２０は、複数の構成部分が同一の樹脂材料により一体的に形成された構造を有する。本体外側部品２０の複数の構成部分は、外側部品周壁２１、外側部品底壁２２、および本体開口部分２３を含む。本体外側部品２０の構成面は、本体周壁内面２４および本体底壁内面２５を含む。本体外側部品２０は、本体内側部品３０および回路基板４０を保護している。
【００１８】
本体内側部品３０は、一例として、図３に示される構造を有する。本体内側部品３０は、反射率が高い樹脂材料により形成されている。本体内側部品３０は、複数の構成部分および複数の構成面を含む。本体内側部品３０は、複数の構成部分が同一の樹脂材料により一体的に形成された構造を有する。本体内側部品３０の複数の構成部分は、入力側開口部３１、出力側開口部３２、および本体部品凹部３３を含む。本体内側部品３０の複数の構成面は、本体入力側面３４、本体出力側面３５、および反射面３６を含む。
【００１９】
本体部品凹部３３は、本体内側部品３０の平面視において円環形状を有する。本体部品凹部３３は、本体内側部品３０における出力側開口部３２および本体反射空間１００の周囲の壁部を取り囲む形状を有する。本体部品凹部３３は、本体内側部品３０における本体出力側面３５の部分に形成されている。本体部品凹部３３は、本体内部空間１１０に向けて開口している。本体部品凹部３３は、本体内部空間１１０を介して透過部品７０と対向している。本体部品凹部３３は、本体側膨張用空間１４０を形成している。
【００２０】
本体入力側面３４は、一例として、平面形状を有する。本体入力側面３４は、本体内側部品３０における回路基板４０側の部分の表面を形成している。本体入力側面３４は、回路基板４０と接触している。
【００２１】
本体出力側面３５は、一例として、平面形状を有する。本体出力側面３５は、本体内側部品３０における保護部品６０側の部分の表面を形成している。本体出力側面３５は、本体内部空間１１０を介して透過部品７０と対向している。
【００２２】
反射面３６は、一例として、すり鉢形状を有する。反射面３６は、出力側開口部３２において本体出力側面３５と連続している。反射面３６は、本体反射空間１００を形成している。反射面３６は、光源部品５０から出力された光を透過部品７０の透過部品中間部７１に向けて反射する。
【００２３】
本体反射空間１００は、一例として、図３に示される構造を有する。本体反射空間１００は、本体内側部品３０の内部に形成されている。本体反射空間１００は、反射面３６に囲まれて形成されている。本体反射空間１００は、本体内側部品３０を貫通している。本体反射空間１００は、入力側開口部３１および出力側開口部３２において開口している。本体反射空間１００は、全体が充填剤９０により埋められている。本体反射空間１００は、入力側境界面１０１および出力側境界面１０２を規定している。
【００２４】
入力側境界面１０１は、本体反射空間１００における入力側開口部３１の開口空間上に規定される仮想面を示す。入力側境界面１０１は、本体反射空間１００と本体反射空間１００の外部との境界を規定している。入力側境界面１０１は、本体入力側面３４と同一の平面上に存在する。
【００２５】
出力側境界面１０２は、本体反射空間１００における出力側開口部３２の開口空間上に規定される仮想面を示す。出力側境界面１０２は、本体反射空間１００と本体内部空間１１０との境界を規定している。出力側境界面１０２は、本体出力側面３５と同一の平面上に存在する。
【００２６】
回路基板４０は、一例として、図３に示される構造を有する。回路基板４０は、絶縁材料および導電材料により形成されている。回路基板４０は、絶縁基板４１、パターン４２、およびレジスト４３、および導電部品４４を有する。導電部品４４は、ワイヤーの形態を有する。導電部品４４は、パターン４２および光源部品５０を電気的に接続している。パターン４２は、短絡抑制溝４２Ａを有する。短絡抑制溝４２Ａは、導電部品４４から光源部品５０に流れる電流と、光源部品５０からパターン４２に流れる電流との短絡を抑制する。レジスト４３は、レジスト溝４３Ａを有する。レジスト溝４３Ａは、パターン４２の一部を露出させている。
【００２７】
光源部品５０は、一例として、図３に示される構造を有する。光源部品５０は、ＬＥＤチップの形態を有する。光源部品５０は、回路基板４０に接合されている。光源部品５０は、本体反射空間１００における入力側開口部３１の空間に配置されている。光源部品５０は、回路基板４０から供給される電力により光を出力する。
【００２８】
保護部品６０は、一例として、図１および図３に示される構造を有する。保護部品６０は、本体部品１０の本体開口部分２３上に配置されている。保護部品６０は、本体開口部分２３を閉塞している。保護部品６０は、透過部品７０および装着部品８０を有する。保護部品６０は、透過部品７０および装着部品８０が互いに結合された構造を有する。
【００２９】
透過部品７０は、一例として、図２および図３に示される構造を有する。透過部品７０は、透過率が高い樹脂材料により形成されている。透過部品７０は、本体内側部品３０の本体出力側面３５と対向している。透過部品７０は、複数の構成部分および複数の構成面を有する。透過部品７０は、複数の構成部分が同一の材料により一体的に形成された構造を有する。透過部品７０の複数の構成部分は、透過部品中間部７１、透過部品周辺部７２、および透過部品凹部７３を含む。透過部品７０の複数の構成面は、透過部品内面７４および透過部品外面７５を含む。
【００３０】
透過部品内面７４は、透過部品７０における本体内側部品３０側の面の全体を形成している。すなわち、透過部品内面７４は、透過部品中間部７１における本体内側部品３０側の面、および透過部品周辺部７２における本体内側部品３０側の面を含む。
【００３１】
透過部品中間部７１は、球状部７１Ａおよび平板部７１Ｂを有する。球状部７１Ａは、透過部品内面７４において本体内部空間１１０に向けて突出する半球形状の部分、および透過部品外面７５において光照射装置１の外部に向けて突出する半球形状の部分を有する。平板部７１Ｂは、球状部７１Ａの周囲に形成されている。透過部品中間部７１は、本体反射空間１００に面している。透過部品中間部７１は、出力側境界面１０２に面している。透過部品中間部７１は、出力側境界面１０２との間に本体内部空間１１０を形成している。透過部品中間部７１は、透過部品内面７４において充填剤９０と接触している。
【００３２】
透過部品周辺部７２は、平板形状を有する。透過部品周辺部７２は、本体出力側面３５と対向している。透過部品周辺部７２は、本体出力側面３５との間に本体内部空間１１０を形成している。
【００３３】
透過部品凹部７３は、透過部品７０の底面視において、図２に示される構造を有する。透過部品凹部７３は、円環形状を有する。透過部品凹部７３は、透過部品７０の底面視において、透過部品中間部７１の周囲を取り囲む形状を有する。透過部品凹部７３は、透過部品周辺部７２における透過部品内面７４側の部分に形成されている。透過部品凹部７３は、本体内部空間１１０に向けて開口している。透過部品凹部７３は、本体内部空間１１０を介して本体内側部品３０と対向している。透過部品凹部７３は、透過側膨張用空間１５０を形成している。
【００３４】
装着部品８０は、一例として、図１および図３に示される構造を有する。装着部品８０は、樹脂材料により形成されている。装着部品８０は、透過部品７０の外周を取り囲む形状を有する。装着部品８０は、透過部品７０と結合されている。装着部品８０は、本体外側部品２０の本体開口部分２３との結合および分離が可能な構造を有する。装着部品８０は、光照射装置１の使用状態において、本体開口部分２３と結合されている。
【００３５】
充填剤９０は、一例として、図３に示される形状を有する。充填剤９０は、透過率が高い樹脂材料により形成されている。充填剤９０は、本体反射空間１００の全部および本体内部空間１１０の一部を埋めている。充填剤９０は、短絡抑制溝４２Ａおよびレジスト溝４３Ａを埋めている。充填剤９０は、光源部品５０の全体を覆う。
【００３６】
本体内部空間１１０は、一例として、図３に示される構造を有する。本体内部空間１１０は、本体部品１０と透過部品７０との間に形成されている。本体内部空間１１０は、本体周壁内面２４、本体出力側面３５、および透過部品内面７４に囲まれて形成されている。本体内部空間１１０は、本体連通空間１２０および部品間膨張用空間１３０を有する。
【００３７】
本体連通空間１２０は、一例として、図３に示される構造を有する。本体連通空間１２０は、出力側境界面１０２と透過部品中間部７１の透過部品内面７４との間に形成されている。本体連通空間１２０は、本体反射空間１００と部品間膨張用空間１３０とを互いに連通している。本体連通空間１２０は、全体が充填剤９０により埋められている。
【００３８】
部品間膨張用空間１３０は、一例として、図３に示される構造を有する。部品間膨張用空間１３０は、本体出力側面３５と透過部品周辺部７２の透過部品内面７４との間に形成されている。部品間膨張用空間１３０は、本体連通空間１２０を介して本体反射空間１００と連通している。部品間膨張用空間１３０は、充填剤９０により埋められた部分を有していない。
【００３９】
本体側膨張用空間１４０は、一例として、図１および図３に示される構造を有する。本体側膨張用空間１４０は、本体部品１０の平面視において円環形状を有する。本体側膨張用空間１４０は、本体内側部品３０における本体反射空間１００の周囲の壁部を取り囲む形状を有する。本体側膨張用空間１４０は、部品間膨張用空間１３０と連続している。本体側膨張用空間１４０は、部品間膨張用空間１３０を介して透過側膨張用空間１５０と対向している。
【００４０】
透過側膨張用空間１５０は、一例として、図２および図３に示される構造を有する。透過側膨張用空間１５０は、透過部品７０の底面視において円環形状を有する。透過側膨張用空間１５０は、透過部品中間部７１の周囲を取り囲む形状を有する。透過側膨張用空間１５０は、部品間膨張用空間１３０と連続している。
【００４１】
部品間膨張用空間１３０の容積、本体側膨張用空間１４０の容積、および透過側膨張用空間１５０の容積を合わせた合計容積は、充填剤９０の最大の膨張量よりも大きい。充填剤９０の最大の膨張量は、充填剤９０の膨張特性、および光源部品５０の発熱特性等をもとに規定することができる。合計容積は、予め規定された充填剤９０の最大の膨張量に基づいて規定することができる。なお、充填剤９０の膨張量は、充填剤９０が熱膨張しているときの充填剤９０の体積と、充填剤９０が熱膨張していないときの充填剤９０の体積との差を示す。充填剤９０の最大の膨張量は、充填剤９０が最も熱膨張しているときの充填剤９０の体積と、充填剤９０が熱膨張していないときの充填剤９０の体積との差を示す。
【００４２】
光照射装置１は、以下の作用および効果を奏する。
（１）充填剤９０は、熱膨張していないとき、一例として図３に示される形状を形成する。充填剤９０は、熱膨張しているとき、一例として図４に示される形状を形成する。充填剤９０は、次の過程を経て図３の形状から図４の形状に変化する。
【００４３】
光源部品５０は、回路基板４０から供給される電力により発熱する。光源部品５０の熱は、充填剤９０に伝導する。充填剤９０は、光源部品５０から充填剤９０に伝導した熱により膨張する。充填剤９０の一部は、部品間膨張用空間１３０に流れ込む。部品間膨張用空間１３０に存在する充填剤９０の一部は、本体側膨張用空間１４０または透過側膨張用空間１５０に流れ込む。部品間膨張用空間１３０、本体側膨張用空間１４０、および透過側膨張用空間１５０に流れ込む充填剤９０の量は、充填剤９０の膨張量が増加するにつれて多くなる。このため、部品間膨張用空間１３０が存在していないと仮定した構成と比較して、本体部品１０および透過部品７０が充填剤９０から受ける負荷が小さくなる。
【００４４】
部品間膨張用空間１３０は、本体部品１０および透過部品７０に囲まれて形成されている。このため、光源部品５０から出力された光が透過部品７０を介することなく光照射装置１の外部に透過することが抑制される。このため、光の照射効率が低下することが抑制される。すなわち、本体部品１０および透過部品７０にかかる負荷を低減する構造が存在していることに起因して、光の照射効率が低下することが抑制される。このように、光照射装置１は、本体部品１０および透過部品７０にかかる負荷を低減し、かつ光の照射効率が低下することを抑制することができる。
【００４５】
（２）光照射装置１は、導電部品４４を有する。充填剤９０は、上記のとおり熱膨張する。このため、充填剤９０が熱膨張するとき、導電部品４４が充填剤９０から受ける負荷が小さくなる。このため、充填剤９０の熱膨張に起因して、導電部品４４により形成される通電経路が切断されるおそれが低減される。
【００４６】
（３）光照射装置１が奏する上記（１）および（２）の効果は、少なくとも部品間膨張用空間１３０が存在することにより得られる。光照射装置１は、部品間膨張用空間１３０における充填剤９０の膨張変形に対する抵抗を小さくすることにより、上記（１）および（２）の効果の度合を高めることができる。充填剤９０の膨張変形に対する抵抗は、一例として、部品間膨張用空間１３０の形状を変更することにより変化させることができる。
【００４７】
（４）部品間膨張用空間１３０、本体側膨張用空間１４０、および透過側膨張用空間１５０は、本体部品１０および透過部品７０に取り囲まれた空間に形成されている。このため、充填剤９０は、光照射装置１の外部に露出していない。このため、従来の発光装置９００とは異なり、本体部品１０および透過部品７０にかかる負荷を低減する構造に起因して、充填剤９０の劣化が促進されるおそれが小さい。
【００４８】
（５）光照射装置１は、本体側膨張用空間１４０を有している。このため、本体側膨張用空間１４０が存在していないと仮定した構成と比較して、充填剤９０の熱膨張が可能な空間の容積が大きい。このため、充填剤９０の膨張量が大きい場合において、本体部品１０および透過部品７０が充填剤９０から受ける負荷が大きくなることが抑制される。
【００４９】
（６）本体側膨張用空間１４０は、本体内側部品３０における本体反射空間１００の周囲の壁部を取り囲む形状を有する。このため、本体部品１０の平面視において、充填剤９０が本体側膨張用空間１４０よりも外側の領域に流れ込みにくい。すなわち、充填剤９０の膨張変形の範囲が本体側膨張用空間１４０により規制される。このため、本体部品１０が充填剤９０から受ける負荷が、本体部品１０の部位毎にばらつくことが抑制される。
【００５０】
（７）光照射装置１は、透過側膨張用空間１５０を有している。このため、透過側膨張用空間１５０が存在していないと仮定した構成と比較して、充填剤９０の熱膨張が可能な空間の容積が大きい。このため、充填剤９０の膨張量が大きい場合において、本体部品１０および透過部品７０が充填剤９０から受ける負荷が大きくなることが抑制される。
【００５１】
（８）透過側膨張用空間１５０は、透過部品中間部７１の周囲を取り囲む形状を有する。このため、透過部品７０の底面視において、充填剤９０が透過側膨張用空間１５０よりも外側の領域に流れ込みにくい。すなわち、充填剤９０の膨張変形の範囲が透過側膨張用空間１５０により規制される。このため、透過部品７０が充填剤９０から受ける負荷が、透過部品７０の部位毎にばらつくことが抑制される。
【００５２】
（９）本体側膨張用空間１４０および透過側膨張用空間１５０は、部品間膨張用空間１３０を介して互いに対向していている。このため、本体側膨張用空間１４０および透過側膨張用空間１５０が対向していないと仮定した構成と比較して、充填剤９０の膨張変形に対する抵抗が小さくなる。このため、本体部品１０および透過部品７０が充填剤９０から受ける負荷を小さくする効果がより高められる。
【００５３】
（第２実施形態）
図５〜図８は、第２実施形態の光照射装置２の一例を示している。第２実施形態の光照射装置２は、複数の構成部品、機能材料、および複数の機能空間（以下、「第２実施形態の構成要素」）を有する。第２実施形態の複数の構成要素は、第１実施形態の光照射装置１が有する複数の構成部品、複数の機能材料の塊、および複数の機能空間（以下、「第１実施形態の構成要素」）と同様または類似の構造および機能を有する。第２実施形態の光照射装置２の説明は、第１実施形態の構成要素と同様または類似の構造および機能を有する第２実施形態の構成要素の説明の一部または全部を省略する。第２実施形態の光照射装置２の説明は、第１実施形態の構成要素と同様または類似の構造および機能を有する第２実施形態の構成要素の少なくとも一部に対して、第１実施形態の構成要素と同一の符号を付している。第２実施形態の光照射装置２の説明は、第２実施形態の構成要素が第１実施形態の構成要素と同様または類似の構造および機能を有することを、「第２実施形態の構成要素は、第１実施形態の構成要素と対応している」と記述する。この記述は、互いに対応する構成要素同士の構造および機能が完全に一致する場合、および完全に一致しない場合の双方を含むことを意味している。
【００５４】
第２実施形態の光照射装置２は、主として、次の点において第１実施形態の光照射装置１と相違する。光照射装置２は、複数の光源機能部２００を有する。光源機能部２００は、光源部品５０、導電部品４４、反射面３６、本体反射空間１００、および充填剤９０により形成される機能部分を示す。一方、第１実施形態の光照射装置１は、光源機能部２００に相当する機能部分を１つのみ有する。
【００５５】
光照射装置２は、本体部品１０Ｘ、回路基板４０Ｘ、保護部品６０Ｘ、複数の充填剤９０の塊、本体内部空間１１０Ｘ、複数の本体側膨張用空間１４０、および複数の透過側膨張用空間１５０を有する。本体部品１０Ｘは、本体外側部品２０Ｘおよび本体内側部品３０Ｘを有する。本体内側部品３０Ｘは、複数の本体部品凹部３３を有する。保護部品６０Ｘは、透過部品７０Ｘおよび装着部品８０Ｘを有する。透過部品７０Ｘは、複数の透過部品中間部７１および複数の透過部品凹部７３を有する。本体内部空間１１０Ｘは、本体連通空間１２０および部品間膨張用空間１３０Ｘを有する。
【００５６】
本体部品１０Ｘは、第１実施形態の本体部品１０と対応している。本体外側部品２０Ｘは、第１実施形態の本体外側部品２０と対応している。本体内側部品３０Ｘは、第１実施形態の本体内側部品３０と対応している。回路基板４０Ｘは、第１実施形態の回路基板４０と対応している。保護部品６０Ｘは、第１実施形態の保護部品６０と対応している。透過部品７０Ｘは、第１実施形態の透過部品７０と対応している。装着部品８０Ｘは、第１実施形態の装着部品８０と対応している。本体内部空間１１０Ｘは、第１実施形態の本体内部空間１１０と対応している。部品間膨張用空間１３０Ｘは、第１実施形態の部品間膨張用空間１３０と対応している。
【００５７】
第２実施形態の光照射装置２は、第１実施形態の光照射装置１が奏する上記（１）〜（９）の効果に準じた効果を奏する。すなわち、光照射装置２は、本体部品１０Ｘおよび透過部品７０Ｘにかかる負荷を低減し、かつ光の照射効率が低下することを抑制する効果、およびその他の種々の効果を奏する。
【００５８】
（第３実施形態）
図９〜図１２は、第３実施形態の光照射装置３の一例を示している。第３実施形態の光照射装置３は、複数の構成部品、複数の機能材料の塊、および複数の機能空間（以下、「第３実施形態の構成要素」）を有する。第３実施形態の複数の構成要素は、第２実施形態の構成要素と同様または類似の構造および機能を有する。第３実施形態の光照射装置３の説明は、第２実施形態の構成要素と同様または類似の構造および機能を有する第３実施形態の構成要素の説明の一部または全部を省略する。第３実施形態の光照射装置３の説明は、第２実施形態の構成要素と同様または類似の構造および機能を有する第３実施形態の構成要素の少なくとも一部に対して、第２実施形態の構成要素と同一の符号を付している。
【００５９】
第３実施形態の光照射装置３は、次の点において第２実施形態の光照射装置２と相違し、その他の点において第２実施形態の光照射装置２と同じ構成を有する。光照射装置３は、本体部品凹部３３に代えて本体部品凹部３３Ｘを有し、本体側膨張用空間１４０に代えて本体側膨張用空間１４０Ｘを有する。
【００６０】
第３実施形態の光照射装置３は、第１実施形態の光照射装置１が奏する上記（１）〜（５）および（７）〜（９）の効果に準じた効果を奏する。すなわち、光照射装置３は、本体部品１０Ｘおよび透過部品７０Ｘにかかる負荷を低減し、かつ光の照射効率が低下することを抑制する効果、およびその他の種々の効果を奏する。
【００６１】
（その他の実施形態）
本光照射装置は、第１実施形態〜第３実施形態とは異なるその他の実施形態を含む。その他の実施形態は、一例として、以下に示される第１実施形態〜第３実施形態の変形例を含む。なお、以下の各変形例は、技術的に矛盾しない範囲において互いに組み合わせることができる。
【００６２】
・第１実施形態の光照射装置１は、部品間膨張用空間１３０、本体側膨張用空間１４０、および透過側膨張用空間１５０を有する。ただし、充填剤９０の熱膨張に起因して生じる負荷を低減するための空間の構造は、第１実施形態に例示された内容に限られない。変形例の光照射装置１は、以下の（ａ）〜（ｃ）のいずれかの構造を有する。なお、第２実施形態の光照射装置２および第３実施形態の光照射装置３においても同様の変形が成立する。
【００６３】
（ａ）変形例の光照射装置１は、部品間膨張用空間１３０および本体側膨張用空間１４０を有し、透過側膨張用空間１５０を有してない。部品間膨張用空間１３０の容積および本体側膨張用空間１４０の容積を合わせた容積は、充填剤９０の最大の膨張量よりも大きいことが好ましい。
【００６４】
（ｂ）変形例の光照射装置１は、部品間膨張用空間１３０および透過側膨張用空間１５０を有し、本体側膨張用空間１４０を有してない。部品間膨張用空間１３０の容積および透過側膨張用空間１５０の容積を合わせた容積は、充填剤９０の最大の膨張量よりも大きいことが好ましい。
【００６５】
（ｃ）変形例の光照射装置１は、部品間膨張用空間１３０を有し、本体側膨張用空間１４０および透過側膨張用空間１５０を有してない。部品間膨張用空間１３０の容積は、充填剤９０の最大の膨張量よりも大きいことが好ましい。
【００６６】
・第１実施形態の光照射装置１は、部品間膨張用空間１３０の容積、本体側膨張用空間１４０の容積、および透過側膨張用空間１５０の容積を合わせた合計容積が充填剤９０の最大の膨張量よりも大きい。ただし、合計容積の大きさは、第１実施形態に例示された内容に限られない。変形例の光照射装置１は、合計容積が充填剤９０の最大の膨張量よりも小さい、または合計容積が充填剤９０の最大の膨張量と等しい。なお、第２実施形態の光照射装置２および第３実施形態の光照射装置３においても同様の変形が成立する。
【００６７】
・第１実施形態の光照射装置１は、充填剤９０が熱膨張していないとき、充填剤９０が部品間膨張用空間１３０に存在していない。ただし、充填剤９０の充填形態は、第１実施形態に例示された内容に限られない。変形例の光照射装置１は、充填剤９０が熱膨張していないとき、充填剤９０の一部が部品間膨張用空間１３０の一部に存在する。部品間膨張用空間１３０の残りの部分は、充填剤９０が熱膨張したときに充填剤９０の膨張部分が流れ込むことが可能な容積を有する。なお、第２実施形態の光照射装置２および第３実施形態の光照射装置３においても同様の変形が成立する。
【００６８】
・第１実施形態の光照射装置１は、樹脂材料により形成された透過部品７０を有する。ただし、透過部品７０の材料は、第１実施形態に例示された内容に限られない。変形例の光照射装置１は、ガラスにより形成された透過部品７０を有する。なお、第２実施形態の光照射装置２および第３実施形態の光照射装置３においても同様の変形が成立する。
【００６９】
・第１実施形態の光照射装置１は、反射率が高い樹脂材料により本体内側部品３０を形成し、本体内側部品３０の一部として形成された反射面３６を有する。ただし、反射面３６に関する構造は、第１実施形態に例示された内容に限られない。変形例の光照射装置１は、本体内側部品３０における本体反射空間１００の形成面に反射膜を有する。なお、第２実施形態の光照射装置２および第３実施形態の光照射装置３においても同様の変形が成立する。
【００７０】
・第１実施形態の光照射装置１は、充填剤９０が熱膨張していないとき、本体連通空間１２０が充填剤９０により埋められている。ただし、充填剤９０の充填形態は、第１実施形態に例示された内容に限られない。変形例の光照射装置１は、充填剤９０が熱膨張していないとき、本体連通空間１２０に充填剤９０が存在していない。なお、第２実施形態の光照射装置２および第３実施形態の光照射装置３においても同様の変形が成立する。
【００７１】
・第１実施形態の本体部品１０は、個別に形成された本体外側部品２０および本体内側部品３０を有する。ただし、本体部品１０の構造は、第１実施形態に例示された内容に限られない。変形例の光照射装置１は、本体部品１０に代えて変形本体部品を有する。変形本体部品は、一例として、本体部品１０の全体が同一の樹脂材料により形成された構造を有する。なお、第２実施形態の光照射装置２および第３実施形態の光照射装置３においても同様の変形が成立する。
【００７２】
（課題を解決するための手段に関する付記）
課題を解決するための手段は、下記の［付記手段１］および［付記手段２］を含む。なお、［付記手段１］および［付記手段２］が有する事項は、実施形態において開示された事項と対応している。
【００７３】
［付記手段１］
付記手段１の光照射装置は、請求項１〜６のいずれか一項に記載の光照射装置において、次の事項を有する。前記本体部品は、入力側開口部を有する。前記本体反射空間は、前記本体部品を貫通し、前記入力側開口部および前記出力側開口部において開口している。前記光源部品は、前記本体反射空間における前記入力側開口部の空間に配置されている。
【００７４】
［付記手段２］
付記手段２の光照射装置は、請求項１〜６のいずれか一項に記載の光照射装置、または付記手段１に記載の光照射装置において、次の事項を有する。前記光照射装置は、本体連通空間を有する。前記本体連通空間は、前記本体反射空間と前記透過部品との間に形成され、前記本体反射空間と前記部品間膨張用空間とを互いに連通している。
【符号の説明】
【００７５】
１…光照射装置
１０…本体部品
２０…本体外側部品、２１…本体部品周壁、２２…本体部品底壁、２３…本体開口部分、２４…本体周壁内面、２５…本体底壁内面
３０…本体内側部品、３１…入力側開口部、３２…出力側開口部、３３…本体部品凹部、３４…本体入力側面、３５…本体出力側面、３６…反射面
４０…回路基板、４１…絶縁基板、４２…パターン、４２Ａ…短絡抑制溝、４３…レジスト、４３Ａ…レジスト溝、４４…導電部品
５０…光源部品
６０…保護部品
７０…透過部品、７１…透過部品中間部、７１Ａ…球状部、７１Ｂ…平板部、７２…透過部品周辺部、７３…透過部品凹部、７４…透過部品内面、７５…透過部品外面
８０…装着部品
９０…充填剤
１００…本体反射空間、１０１…入力側境界面、１０２…出力側境界面
１１０…本体内部空間、１２０…本体連通空間、１３０…部品間膨張用空間
１４０…本体側膨張用空間
１５０…透過側膨張用空間
２…光照射装置、１０Ｘ…本体部品、２０Ｘ…本体外側部品、３０Ｘ…本体内側部品、４０Ｘ…回路基板、６０Ｘ…保護部品、７０Ｘ…透過部品、８０Ｘ…装着部品、１１０Ｘ…本体内部空間、１３０Ｘ…部品間膨張用空間、２００…光源機能部
３…光照射装置、３３Ｘ…本体部品凹部、１４０Ｘ…本体側膨張用空間
【図１】
2014146586.tif 000003
【図２】
2014146586.tif 000004
【図３】
2014146586.tif 000005
【図４】
2014146586.tif 000006
【図５】
2014146586.tif 000007
【図６】
2014146586.tif 000008
【図７】
2014146586.tif 000009
【図８】
2014146586.tif 000010
【図９】
2014146586.tif 000011
【図１０】
2014146586.tif 000012
【図１１】
2014146586.tif 000013
【図１２】
2014146586.tif 000014
【図１３】
2014146586.tif 000015